【手続補正書】
【提出日】平成16年10月13日(2004.10.13)
【手続補正１】
【補正対象書類名】明細書
【補正対象項目名】特許請求の範囲
【補正方法】変更
【補正の内容】
【特許請求の範囲】
【請求項１】
画像表示素子と、前記画像表示素子により形成された画像を虚像として観察できるように導く接眼光学系とを有する画像表示装置において、
前記接眼光学系が、屈折率（ｎ）が１よりも大きい（ｎ＞１）媒質によって形成されたプリズム部材を有し、
前記プリズム部材が、光束をプリズム内部に入射させる作用を持った第１面と、光束をプリズム内部で反射させる作用を持った第２面と、光束をプリズム内部から射出させる作用を持った第３面とを含み、
前記第２面は、前記虚像を形成する有効光束を反射する領域である有効反射領域と、該有効反射領域と異なる位置に設けられた非有効反射領域を備え、
少なくとも前記非有効反射領域の一部に、フレアー若しくはゴーストの発生を防止する作用を有する反射防止部材を設けたことを特徴とする画像表示装置。
【請求項２】
請求項１記載の画像表示装置において、
前記反射防止部材は、光線の反射率よりも吸収率の方が高い作用を持った光吸収部材であることを特徴とする画像表示装置。
【請求項３】
請求項１記載の画像表示装置において、
前記反射防止部材は、前記有効反射領域の面に比べて面の粗さが粗い形状に形成された面であることを特徴とする画像表示装置。
【請求項４】
請求項３記載の画像表示装置において、前記反射防止部材は、光線の強度を低下させる作用を持った波状面にて形成されていることを特徴とする画像表示装置。
【請求項５】
請求項１乃至４の何れか１項記載の画像表示装置において、
前記第２面における前記非有効反射領域の面が、前記有効反射領域の面とは非連続な面からなり、
その非連続部分を前記反射防止部材としていることを特徴とする画像表示装置。
【請求項６】
請求項１記載の画像表示装置において、
前記第２面における前記非有効反射領域の面は、前記有効反射領域の面の傾きと異なる面の傾きを有し、
その非有効反射領域の面により前記反射防止部材を構成していることを特徴とする画像表示装置。
【請求項７】
請求項１乃至６の何れか１項記載の画像表示装置において、
前記第２面の前記有効反射領域が、反射ミラーコーティングを施したミラー反射面にて形成されていると共に、
少なくとも前記第２面の前記非有効反射領域のうち、前記ミラー反射面よりも前記画像表示素子側の一部領域に、前記反射防止部材を設けたことを特徴とする画像表示装置。
【請求項８】
請求項１乃至６の何れか１項記載の画像表示装置において、
前記第２面の前記有効反射領域が、反射ミラーコーティングを施したミラー反射面にて形成されていると共に、
少なくとも前記第２面の非有効反射領域のうち、前記ミラー反射面を挟んで前記画像表示素子と反対側の一部領域に、前記反射防止部材を設けたことを特徴とする画像表示装置。
【請求項９】
画像表示素子と、前記画像表示素子により形成された画像を虚像として観察できるように導く接眼光学系とを有する画像表示装置において、
前記接眼光学系が、屈折率（ｎ）が１よりも大きい（ｎ＞１）媒質によって形成されたプリズム部材を有し、
前記プリズム部材が、光束をプリズム内部に入射させる作用を持った第１面と、光束をプリズム内部で反射させる作用を持った第２面と、光束をプリズム内部から射出させる作用を持った第３面とを含み、
前記第１面は、前記虚像を形成する有効光束を反射する領域である有効透過領域と、該有効透過領域と異なる位置に設けられた非有効透過領域を備え、
少なくとも前記非有効透過領域の一部に、フレアー若しくはゴーストの発生を防止する作用を有する遮光部材を設けたことを特徴とする画像表示装置。
【請求項１０】
請求項９記載の画像表示装置において、
前記遮光部材は光線の透過率よりも吸収率の方が高い作用を持った光吸収部材であることを特徴とする画像表示装置。
【請求項１１】
請求項１０記載の画像表示装置において、
前記光吸収部材は、黒色塗料を接着させて形成されていることを特徴とする画像表示装置。
【請求項１２】
請求項９乃至１１の何れか１項記載の画像表示装置において、
前記第１面が前記画像表示素子と対向配置されていると共に、
前記遮光部材は、前記第１面の前記有効透過領域と前記非有効透過領域との問に、前記第１面から前記画像表示素子側に伸びた遮光壁により形成されていることを特徴とする画像表示装置。
【請求項１３】
請求項１２記載の画像表示装置において、
前記遮光壁は、その稜線の形状が前記画像表示素子の表示画面の輪郭形状と略一致するように形成されていることを特徴とする画像表示装置。
【請求項１４】
請求項９乃至１１の何れか１項記載の画像表示装置において、
前記第１面の前記非有効透過領域のうち、少なくとも前記有効透過領域を挟んで、左右方向の一部領域に前記遮光部材を設けたことを特徴とする画像表示装置。
【請求項１５】
画像表示素子と、前記画像表示素子により形成された画像を虚像として観察できるように導く接眼光学系とを有する画像表示装置において、
前記接眼光学系が、屈折率（ｎ）が１よりも大きい（ｎ＞１）媒質によって形成されたプリズム部材を有し、
前記プリズム部材が、光束をプリズム内部に入射させる作用を持った第１面と、光束をプリズム内部で反射させる作用を持った第２面と、光束を内部反射させる作用とプリズム内部から射出させる作用とを持った第３面と、前記第１面と前記第３面との間の光路上に配置され、プリズム内部の光束を反射する作用を持った第４面とを含み、
前記第３面は、前記虚像を形成する有効光束を反射する領域である有効透過領域と、該有効透過領域と異なる位置に設けられた非有効透過領域を備え、
少なくとも前記非有効領域の一部に、フレアー若しくはゴーストの発生を防止する作用を有する反射防止部材を設けたことを特徴とする画像表示装置。
【手続補正２】
【補正対象書類名】明細書
【補正対象項目名】００１７
【補正方法】変更
【補正の内容】
【００１７】
さらに、第２面２の非有効反射領域部分を図４（ｂ）に示すように、有効反射領域の傾きとは異なる傾きにして、図４（ｂ）に示すように、第２面２に入射するゴースト光Ｒ１をカットする。また、カットされないゴースト光は非有効反射領域において反射されない面の傾き角度にする。その場合、有効反射領域において反射し、眼球Ｅ側に進行する光Ｒ２があるが、第２面２における反射点が図の下側になるため、観察者眼球Ｅよりも下側に到達することになり、観察者にはゴースト像を見ることはない。したがって、ゴーストを防止することが可能である。
【手続補正３】
【補正対象書類名】明細書
【補正対象項目名】００２５
【補正方法】変更
【補正の内容】
【００２５】
また、透明板１５の外周に黒コーティング１４を設けなくとも、図７（ｃ）に示すように、透明板１５を貼り付けた第１面１の外側に黒コーティング１４を施すようにしても、不要光を遮断することもできる。
【手続補正４】
【補正対象書類名】明細書
【補正対象項目名】００３９
【補正方法】変更
【補正の内容】
【００３９】
このように、具体的に変形プリズム１０を設計したとき、入射面射出面兼用の第１面１では有効光の通過する領域（図１６（ａ））とゴースト光２１の通過する領域（図１６（ｂ））とが重なっているため、この部分にフレアー光やゴースト光の発生を防止する部材を設けることはできない。そこで、非有効領域である上面２０や上端部２’での反射を抑えることが最もフレアー光、ゴースト光防止に効果的である。そこで、上面２０や上端部２’に、反射防止部材として前記のように光吸収用の黒色塗料を塗る等して、瞳７に入射する光２１を途中でなくすことが必要であることが分かる。